(57)【特許請求の範囲】
【請求項１】
一端部から他端部まで略直線状に延びる柄と、この柄における上記他端部寄りの側面に植設されたブラシと、を有する清掃具、および、把持部と、この把持部から延出するちり受け板部とを有し、上記把持部が上記清掃具の柄に嵌合してこの清掃具と組み合わされるちり取りを備える清掃具とちり取りのセットであって、
上記ちり取りの上記把持部を上記清掃具の上記柄に嵌合させて組み合わせ状態としたとき、上記ちり受け板部の先端縁と上記柄の他端部とが設置面に接することにより、上記清掃具と上記ちり取りとが、設置面に対して、上記清掃具の上記柄が直立状態となって起立する起立状態とすることができるように構成されているとともに、上記起立状態において、設置面に接する上記柄の他端部は、設置面において上記ちり受け板部の先端縁と当該先端縁の両端どうしをつなぐ直線とで囲まれる領域の、当該直線側の外方に位置しており、かつ、
上記柄の一端部には、大径部が形成されており、この大径部が、上記把持部に嵌合させられる上記柄の長手方向の位置を規定することを特徴とする、清掃具とちり取りのセット。
【請求項２】
上記把持部は、上記柄の一端部をその長手方向一定長さにわたって抱持するように側方から弾性嵌合可能な略Ｃ型断面部として形成されている、請求項１に記載の清掃具とちり取りのセット。
【請求項３】
上記ちり受け板部は、上記把持部との接続部を頂点とする略２等辺三角形の正面視形状を有している、請求項１または２に記載の清掃具とちり取りのセット。
【請求項４】
上記ちり受け板部は、上記組み合わせ状態において上記清掃具を向くちり受け面側が、上記把持部との接続部から上記先端縁に至るどの横断面においても凹に湾曲しており、この湾曲曲率半径は、上記接続部が最も小さく、上記先端縁に向かうにつれて連続的に大きくなっている、請求項３に記載の清掃具とちり取りのセット。
【請求項５】
上記ちり受け板部は、弾性変形可能な樹脂によって形成されており、その先端縁付近の凸側を平面的な清掃面に押し付けることにより、上記先端縁が略直線状に変形可能である、請求項４に記載の清掃具とちり取りのセット。
【請求項６】
上記ちり受け板部は、その先端縁側の一定範囲が、その余の部分よりも剛性が低い樹脂で形成されている、請求項５に記載の清掃具とちり取りのセット。
【請求項７】
上記ブラシは、上記組み合わせ状態において、上記ちり受け板部のちり受け面に接触しないか、わずかに接触する程度に形成されている、請求項４ないし６のいずれかに記載の清掃具とちり取りのセット。
【発明の詳細な説明】
【技術分野】
【０００１】
本発明は、床などを掃くための箒や机の上を掃くための卓上用ブラシなどの清掃具と、これらの清掃具と組み合わせ可能なちり取りとからなる清掃具とちり取りのセットに関する。
【背景技術】
【０００２】
箒などの清掃具は、ちり取りと一緒に使用されることが多いため、収納や持ち運びの便宜上、清掃具とちり取りとは、一纏めにして取り扱うことができれば好都合である。このような事情に対応すべく、従来から清掃具をちり取りに分離自在に支持させる構成が種々採用されている。
【０００３】
たとえば、特許文献１には、図８に示すような清掃具とちり取りのセットが記載されている。この清掃具とちり取りのセットＢは、柄９１１とブラシ９１３からなる箒９１０と、この箒９１０を直立姿勢で保持することができるちり取り９２０とで構成されている。箒９１０の柄９１１は図８中の上下方向に沿う直線棒状であり、柄９１１の下端にブラシ９１３が連設されている。このブラシ９１３は、合成樹脂製の線材、竹の枝、箒草、シュロ等を束ねたものである。ちり取り９２０は弾性変形可能な軟質樹脂で成形されており、略半筒形状の把持部９２１の先端に略半円錐筒形のちり受け板部９２２を一体連設して構成されている。
【０００４】
このような清掃具とちり取りのセットＢにおいては、ちり受け板部９２２は箒９１０を支持するためのスタンドとして機能するためと、ゴミがこぼれにくいようにするために略半円錐形状となっており、ちり受け板部９２２の先端は半円状に湾曲している。しかしながら、ゴミをちり受け板部９２２へ掃き入れる場合には、このちり受け板部９２２の先端を直線状にするのが望ましい。このちり受け板部９２２は弾性変形可能な樹脂で形成されているが、半円状のちり受け板部９２２の先端を直線状に近づけるのは困難であった。また、箒９１０をちり取り９２０に組み合わせる際に、ちり取り９２０に対する箒９１０の位置を決めるための指標がなく組み合わせにくかった。このように箒９１０とちり取り９２０との位置決めを行うことができないので、組み合わせた際に箒９１０の先端部が床面にあたり、箒９１０の先端部にクセがつく可能性があった。
【０００５】
【特許文献１】特開２００４−８２６７号公報
【発明の開示】
【発明が解決しようとする課題】
【０００６】
本発明は上記の事情によって考え出されたものであり、清掃具を起立させるように支持可能であり、ゴミの出し入れが容易なちり取りと、このちり取りと組み合わさって起立するような清掃具とからなる、清掃具とちり取りとのセットの提供を課題としている。
【課題を解決するための手段】
【０００７】
上記の課題を解決するため、本発明では、次の技術的手段を採用した。
【０００８】
本発明に係る清掃具とちり取りのセットは、一端部から他端部まで略直線状に延びる柄と、この柄における上記他端部寄りの側面に植設されたブラシと、を有する清掃具、および、把持部と、この把持部から延出するちり受け板部とを有し、上記把持部が上記清掃具の柄に嵌合してこの清掃具と組み合わされるちり取りを備える清掃具とちり取りのセットであって、上記ちり取りの上記把持部を上記清掃具の上記柄に嵌合させて組み合わせ状態としたとき、上記ちり受け板部の先端縁と上記柄の他端部とが設置面に接することにより、上記清掃具と上記ちり取りとが、設置面に対して、上記清掃具の上記柄が直立状態となって起立する起立状態とすることができるように構成されているとともに、上記起立状態において、設置面に接する上記柄の他端部は、設置面において上記ちり受け板部の先端縁と当該先端縁の両端どうしをつなぐ直線とで囲まれる領域の、当該直線側の外方に位置しており、かつ、上記柄の一端部には、大径部が形成されており、この大径部が、上記把持部に嵌合させられる上記柄の長手方向の位置を規定することを特徴とする。
【０００９】
このような構成によれば、上記ちり受け板部の先端部の湾曲がゆるやかであっても、上記清掃具と上記ちり取りとを組み合わせ状態とすることで、上記柄を設置面に対して起立させることができる。すなわち、上記ちり受け板部の先端部を大きく湾曲させる必要がないため、上記ちり取りにゴミを掃き入れるのが容易となる。また、このように上記清掃具と上記ちり取りとを組み合わせて起立させることができると、これらを机上等に起立状態で保管しておくことができ、上記清掃具と上記ちり取りとが一体となっているので持ち運びにも便利である。また、上記大径部が上記把持部の一端に引っかかるように上記柄を上記把持部へ嵌め込めばよいので、より一層嵌め込み作業が効率よくなる。
【００１０】
好ましい実施の形態においては、上記把持部は、上記柄の一端部をその長手方向一定長さにわたって抱持するように側方から弾性嵌合可能な略Ｃ型断面部として形成されている。このような構成によれば、上記柄を上記把持部に嵌め込んだり取り外したりする作業が簡単となり、この嵌め込みと取り外し作業が煩雑であるために清掃作業性が低下することはない。
【００１２】
好ましい実施の形態においては、上記ちり受け板部は、上記把持部との接続部を頂点とする略第２等辺三角形の正面視形状を有している。このような構成によれば、ちり受け板部の先端部の幅が比較的長く取れるのでゴミを掃き入れる際に便利である。
【００１３】
好ましい実施の形態においては、上記ちり受け板部は、上記組み合わせ状態において上記清掃具を向くちり受け面側が、上記把持部との接続部から上記先端縁に至るどの横断面においても凹に湾曲しており、この湾曲曲率半径は、上記接続部が最も小さく、上記先端縁に向かうにつれて連続的に大きくなっている。このような構成によれば、凹に湾曲した上記ちり受け板部の凹んだ部分にゴミが掃き入れられるので、ゴミがこぼれにくくなり、このゴミをゴミ箱に移し変えるのも容易となる。
【００１４】
上記ちり受け板部は、弾性変形可能な樹脂によって形成されており、その先端縁付近の凸側を平面的な清掃面に押し付けることにより、上記先端縁が略直線状に変形可能である。このように、上記先端縁を略直線状に変形させると、上記ちり受け板部へゴミを掃き入れる際に有利である。
【００１５】
上記ちり受け板部は、その先端縁側の一定範囲が、その余の部分よりも剛性が低い樹脂で形成されている。このような構成によると、把持部の剛性をある程度高く維持してこの部を把持したちり取りの取り扱い性や清掃具の柄に対する適正な嵌合状態を維持することができつつも、上記ちり受け板部の先端縁を上記のように略直線状に変形させるのがより容易となる。
【００１６】
上記ブラシは、上記組み合わせ状態において、上記ちり受け板部のちり受け面に接触しないか、わずかに接触する程度に形成されている。このような構成によると、上記清掃具と上記ちり取りとを組み合わせた際に、上記ブラシが上記ちり受け板部に当たって障害となることはなく、また、上記ブラシの毛先も痛みにくい。
【００１７】
本発明のその他の特徴および利点は、図面を参照して以下に行う詳細な説明から、より明らかとなろう。
【発明を実施するための最良の形態】
【００１８】
本発明の第１実施形態に係る清掃具とちり取りのセットＡ１の斜視図を図１に示し、正面図を図３に示す。図４は図３のIV-IV線に沿う断面図である。この清掃具とちり取りのセットＡ１は、清掃具１０とちり取り２０とで構成されており、図１、図３、図４においては、清掃具１０とちり取り２０とを組み合わせた状態を示している。なお、図１および図３では、図中の下方側が、たとえば床面や机面などの設置面となっている。また、図２には清掃具とちり取りのセットＡ１の清掃具１０とちり取り２０を分離した状態を示している。清掃具１０は、たとえば机の上のゴミなどを掃き集めるための道具であり、ちり取り２０へ掃き入れて一時的にゴミを溜めておき、ゴミ箱へ移すための道具である。
【００１９】
清掃具１０は、略直線状の柄１１と、この柄１１の上端部に形成されたリング状の大径部１２と、柄１１に植設されたブラシ１３と、を備えて構成されている。図１において、柄１１の下端部１４は上記設置面に当接している。ブラシ１３は、柄１１の下端部１４寄りの側面に植設されており、たとえば、合成樹脂製の線材を複数束ねたものである。
【００２０】
ちり取り２０は、把持部２１と、この把持部２１から延出するちり受け板部２２とを備えており、たとえば、ポリプロピレンなどのある程度弾性変形可能な樹脂によって形成されている。把持部２１は、柄１１の大径部１２直下を柄１１の長手方向一定長さにわたって抱持するように側方から弾性嵌合可能な略Ｃ型断面部として形成されている。ちり受け板部２２は、図３に示すように、把持部２１の下端部を頂点とする正面視略２等辺三角形状である。このちり受け板部２２は、上記組み合わせ状態において清掃具１０を向くちり受け面側が、把持部２１との接続部から先端縁２３に至るどの横断面においても、図４に示すように凹に湾曲している。この湾曲曲率半径は、上記接続部が最も小さく、先端縁２３に向かうにつれて連続的に大きくなっている。また、このちり受け板部２２は、設置面に対して垂直に起立する柄１１に対して一定角度傾いており、上記組み合わせ状態において、ブラシ１３の毛先が、ちり受け板部２２のちり受け面と接触しないか、わずかに接触する程度であるように形成されている。
【００２１】
このような清掃具とちり取りのセットＡ１は、略Ｃ型断面の把持部２１に柄１１を嵌め込むことで、清掃具１０とちり取り２０とを図１に示すように組み合わせることができる。この組み合わせ状態においては、清掃具１０の下端部１４とちり取り２０の先端縁２３とが上記設置面に接し、清掃具１０を直立姿勢に保持して立てておくことができる。この組み合わせの際に、大径部１２と把持部２１の上端が接するように組み合わせると、清掃具１０を直立させることができるように構成されている。また、ちり受け板部２２の先端縁２３における湾曲曲率は比較的大きくなっており、先端縁２３は緩やかな凹状に形成されている。
【００２２】
図５に、ちり取り２０を床面Ｆ上のゴミを掃き入れる際の使用例を示す。清掃具とちり取りのセットＡ１を使用する際には、片手で把持部２１もしくはちり受け板部２２の斜辺を持って先端縁２３を床面Ｆに接触させ、もう一方の手で清掃具１０を持ってゴミを掃くのがよい。ちり取り２０は、把持部２１を持って、ちり受け板部２２が床面Ｆに対して一定角度傾くように先端縁２３の一部を床面Ｆに当接させて用いる。さらに、把持部２１を持って、ちり取り２０を床面Ｆに向けて押し下げる方向に力を加えると、図５に示すように、先端縁２３が弾性変形して直線状となって床面Ｆと接触する。
【００２３】
このような清掃具とちり取りのセットＡ１においては、ちり受け板部２２の先端縁２３が緩やかな凹状であるため、先端縁２３を容易に直線状に変形させることができる。このため、清掃具１０を用いてちり取り２０へゴミを掃きいれる作業を、より少ない労力で行うことができる。また、先端縁２３に力を加えない状態ではちり受け板部２２は、凹状に湾曲しているので、ちり取り２０に溜められたゴミがちり受け板部２２の側面からこぼれにくくなっている。このため、ちり取り２０にゴミを入れて運ぶ際や、ゴミをゴミ箱に移す際などに、ちり取り２０からゴミがこぼれたりせずにすむ。また、ちり受け板部２２の先端縁２３を、上記のように直線状に変形させるのとは逆に、Ｕ字状に変形させることもでき、ゴミ箱の投入口が小さい場合などにおいてよりゴミを捨てやすくすることもできる。
【００２４】
さらに、大径部１２と把持部２１の上端が接するように把持部２１に柄１１を嵌め込むことで、容易にかつ迅速に、清掃具１０を直立姿勢に保持して立てておくことができる。このため、清掃具１０とちり取り２０とは簡単に組み合わせて起立状態とすることができ、机上などに保管することができる。また、図１に示すように、この大径部１２には穴が開いており、この穴をフックなどに引っ掛けることによって、清掃具１０とちり取り２０を吊り下げて保管することができる。
【００２５】
図６に、本発明の第２実施形態に係る清掃具とちり取りのセットＡ２を正面図で示す。この清掃具とちり取りのセットＡ２においては、ちり取り２０の先端縁２３付近の一定範囲が、その余の部分よりも剛性が低い樹脂２４で形成されている。この樹脂２４としては、たとえば、サーモプラスチックエラストマ等が好適である。この清掃具とちり取りのセットＡ２のその他の構成は上記した清掃具とちり取りのセットＡ１と同様である。
【００２６】
このような清掃具とちり取りのセットＡ２においては、先端縁２３付近が軟質な樹脂２４で形成されているので、湾曲している先端縁２３を直線状に変形させるのがより一層簡単となる。このため、上記した清掃具とちり取りのセットＡ２を用いると、上記した清掃具とちり取りのセットＡ１を用いるよりもさらに少ない労力で掃除を行うことが可能となる。なお、この場合、把持部２１付近の剛性をある程度高く維持しておくことにより、この把持部２１を把持したちり取り２０の取り扱い性が減殺されることがなく、また、清掃具１０の柄１１に対する把持部１２の嵌合状態の確実性を維持することができる。
【００２７】
図７に、本発明の第３実施形態に係る清掃具とちり取りのセットＡ３を正面図で示す。ただし、図７においては清掃具とちり取りのセットＡ３の要部のみを示している。この清掃具とちり取りのセットＡ３においては、清掃具１０の柄１１に新たに大径部１５が形成されている。なお、その他の構成は清掃具とちり取りのセットＡ１と同様である。この大径部１５は、図７のように清掃具１０とちり取り２０とを組み合わせた際に、把持部２１の下端部分と係合するように形成されている。すなわち、大径部１２と大径部１５との間に把持部２１を嵌め込むと、清掃具１０が直立姿勢となるように清掃具１０とちり取り２０とが組み合わされる。このため、清掃具１０とちり取り２０との組み合わせをより正確に行うことができる。
【００２８】
本発明に係る清掃具とちり取りのセットは、上述した実施形態に限定されるものではない。たとえば、第２実勢形態におけるちり取りと第３実施形態における清掃具とをセットにしてもよいし、また、ブラシの線材の本数なども自在に設定可能である。
【図面の簡単な説明】
【００２９】
【図１】本発明の第１実施形態に係る清掃具とちり取りのセットの斜視図である。
【図２】図１の清掃具とちり取りとを分離した図である。
【図３】図１の清掃具とちり取りのセットの正面図である。
【図４】図３のIV-IV線に沿う断面図である。
【図５】本発明に係るちり取りの使用方法を説明するための図である。
【図６】本発明の第２実施形態に係る清掃具とちり取りのセットの正面図である。
【図７】本発明の第３実施形態に係る清掃具とちり取りのセットの一部正面図である。
【図８】従来の清掃具とちり取りのセットの斜視図である。
【符号の説明】
【００３０】
Ａ１，Ａ２，Ａ３          清掃具とちり取りのセット
Ｆ                        床面
１０                      清掃具
１１                      柄
１２                      大径部
１３                      ブラシ
１４                      下端部
１５                      大径部
２０                      ちり取り
２１                      把持部
２２                      ちり受け板部
２３                      先端縁
２４                      樹脂  
【図１】
0004809127.tif 000002
【図２】
0004809127.tif 000003
【図３】
0004809127.tif 000004
【図４】
0004809127.tif 000005
【図５】
0004809127.tif 000006
【図６】
0004809127.tif 000007
【図７】
0004809127.tif 000008
【図８】
0004809127.tif 000009